(57)【要約】【課題】デリバリーパックを返送用封筒として再利用できるように構成する。【解決手段】デリバリーパック１を、上下に重ね合わされて互いの周辺部が接着された上側シート部１１と下側シート部１２の重合面内に、両シート部の内面同士の接着部１３で方形に縁取られた袋部１Ａを設け、下側シート部１２の袋部形成領域１２ａ内に書類の挿入口１４を形成し、袋部形成領域外１２ｂの下面に粘着剤層１５を設けて剥離紙１６で被覆保護し、袋部１Ａと粘着剤層１５、１５との境界に破断線１７、１７を設けて構成する。【選択図】図２
2013180819.tif 000002
【特許請求の範囲】
【請求項１】
荷物を配送する際に書類を収納して配送品に貼り付けられる袋体からなるデリバリーパックにおいて、
上下に重ね合わされて互いの周辺部が接着された上側シート部と下側シート部の重合面内に、両シート部の内面同士の接着部で方形に縁取られた袋部が設けられ、
前記下側シート部はその袋部形成領域内に当該袋部に書類を挿入するための挿入口が形成され、袋部形成領域外の下面に粘着剤層が設けられ、且つ粘着剤層は剥離紙で被覆保護されているとともに、
前記袋部と前記粘着剤層との境界に破断線が設けられた構成を有することを特徴とするデリバリーパック。
【請求項２】
横長矩形状の上側シート部と下側シート部の重合面内の中央部に袋部が設けられ、当該袋部の両側の下側シート部の下面に粘着剤層がそれぞれ設けられた構成を有する請求項１に記載のデリバリーパック。
【請求項３】
前記袋部に収納可能な大きさのラベルであって表面側に返送先情報記載領域が設けられ、裏面側に粘着剤が設けられ且つ剥離紙で被覆保護されてなるラベルを具備した請求項１又は２に記載のデリバリーパック。
【請求項４】
前記ラベルが郵便はがきサイズに設けられていることを特徴とする請求項３に記載のデリバリーパック。
【請求項５】
前記上側シート部の表面に前記袋部の利用案内情報が印刷された構成を有することを特徴とする請求項１〜４の何れかに記載のデリバリーパック。
【発明の詳細な説明】
【技術分野】
【０００１】
本発明は、荷物を配送する際に、荷物の明細票や納品書、領収書などの荷物配送に関わる伝票類が収納され、配送品に貼り付けられて配送に供される合成樹脂シート製のデリバリーパックに関する。
【背景技術】
【０００２】
配送荷物を梱包した後、梱包した物品の明細票や納品書などの伝票類を荷物とともに配送する場合、図９に示されるように、裏面に設けた粘着剤層を剥離紙で被覆保護した合成樹脂シート製の袋体からなるデリバリーパック１００に前記伝票類１０１を挿入し、挿入口を閉じた上で前記剥離紙を剥離して粘着剤層を露出させ、これを梱包物の外箱１０２に貼り付けて配送に供するのが一般的である（例えば特許文献１、２参照）。
【先行技術文献】
【特許文献】
【０００３】
【特許文献１】実用新案登録第３１３０３２４号公報
【特許文献２】実用新案登録第３１３７５８８号公報
【発明の概要】
【発明が解決しようとする課題】
【０００４】
荷物とともに受取主宛に送られる伝票類に、受取主から荷物の送り主或いはその関連部署などに返送すべき書類、例えば受領書や申込書、指示書、依頼書などが含まれる場合、返送用封筒をデリバリーパックに封入しておけば、荷物受取主おける書類返送手続の便宜に資することができる。
しかし、返送用封筒を用意しなければならないため荷物送り主の配送コストは増し、また、受取主の側で用意した返送用封筒を用いたとしても、返送手続のための資材がデリバリーパックとは別に必要となることに変りはなく、近時の資源ゴミの排出削減や資源の消費抑制といったエコロジーの要請にも沿わない。
【０００５】
本発明は従来の技術の有するこのような問題点に鑑み、荷物とともに配送に供したデリバリーパックを返送用の封筒として利用できるように構成し、デリバリーパックへの返送用封筒の添付を不要として配送コストの低減を図るとともに、一度使われたデリバリーパックを再利用することで書類配送手続におけるエコロジーに資することを課題とする。
【課題を解決するための手段】
【０００６】
前記課題を解決するため本発明は、荷物を配送する際に書類を収納して配送品に貼り付けられる袋体からなるデリバリーパックにおいて、上下に重ね合わされて互いの周辺部が接着された上側シート部と下側シート部の重合面内に、両シート部の内面同士の接着部で方形に縁取られた袋部が設けられ、前記下側シート部はその袋部形成領域内に当該袋部に書類を挿入するための挿入口が形成され、袋部形成領域外の下面に粘着剤層が設けられ、且つ粘着剤層は剥離紙で被覆保護されているとともに、前記袋部と前記粘着剤層との境界に破断線が設けられた構成を有することを特徴とする。
前記デリバリーパックの一形態として、横長矩形状の上側シート部と下側シート部の重合面内の中央部に袋部を設け、当該袋部の両側の下側シート部の下面に粘着剤層をそれぞれ設けた構成とすることができる。
【０００７】
本発明のデリバリーパックによれば、袋部は上下のシート部の重合面内を接着部で方形に区画した密閉空間であり、当該袋部の一面を形成する下側シート部に設けられた挿入口を開けて袋部内に書類を挿入して収納し、収納した書類を取り出すことができる。
袋部に書類を収納した状態で、デリバリーパックの剥離紙を剥がして粘着剤層を露出させ、これを配送品などの物品の表面に貼り付ければ、デリバリーパックの下側シート部の下面が物品の表面に面一に重なり、前記下部シート部に設けられた挿入口が閉じ合わさって開口不能状態となり、収納した書類は袋部内に確実に保持される。
また、デリバリーパックの袋部には粘着材層は設けられておらず、袋部と粘着材層の間の境界部分に破断線が設けてあるので、物品の表面にデリバリーパックを貼り付けた状態で、当該デリバリーパックの物品に貼り付けられた部分を片手で押さえ、もう片方の手で前記袋部を把持して引っ張るなどすれば、デリバリーパックは破断線に沿って切断され、物品の表面に粘着剤で貼り付けられた部分を残して、袋部のみを簡単に分離して取り外すことができ、取り外した袋部の挿入口を開けて、袋部に収納されていた書類を取り出すことができる。
【０００８】
また、本発明のデリバリーパックは、前記袋部に収納可能な大きさのラベルであって表面側に返送先情報記載領域が設けられ、裏面側に粘着剤が設けられ且つ剥離紙で被覆保護されてなるラベルを具備して構成されることを特徴とする。
【０００９】
本発明のデリバリーパックは、送り主から送られた荷物を受取主が受領した後、受取主から送り主などに依頼書や注文者など所定の書類の送付が見込まれる場合や、受取主が所定の書類を返送する必要がある場合などに、それら受取主から発送される書類を返送書類として収納し、前記荷物を梱包する外箱に一体に添付する袋体として利用され、前記構成のラベルとの組み合わせにより以下のようにして使用することができる。
【００１０】
先ず、送り主が荷物を配送するにあたり、予め送り主は前記ラベル表面の返送先情報記載領域に返送書類の返送先の住所、部署、郵便番号などの返送先情報をプリンタで印字するなどして記載し、郵送により返送するため切手も貼っておく。このラベルと、荷物とともに受取主に送る、返送書類を含む書類を、デリバリーパックの袋部にその挿入口から挿入して収納する。この際、ラベルは、返送先情報が記載されたそのラベル表面側をデリバリーパックの下側シート部側に向けて袋部に挿入され、袋部に同封される書類は前記下側シート部とラベルとの間に挿入される。
次いで、デリバリーパックの剥離紙を剥がして粘着剤層を露出させ、これを受取主に送る配送品に貼り付けて、配送品を配送に供する。デリバリーパックを配送品に貼り付けた状態で、デリバリーパックの下側シート部の下面は配送品の表面に面一に重なって挿入口が閉じ合わさり、配送中に袋部に収納された書類が挿入口から抜け落ちることはない。
送り主が発送した配送品を受取主が受領したならば、受取主は配送品に貼り付けられたデリバリーパックを、その破断線に沿って分断して袋部を分離し、配送品から取り外す。袋部を取り外したならば、収納されていた書類及びラベルを挿入口から取り出し、取り出した書類に含まれる返送書類を確認したならば、それに必要要事項を記入し或いは署名、捺印するなどした後、これを前記袋部に収納する。
次いで、前記取り出したラベルの裏面の剥離紙を剥がして粘着剤層を露出させ、これを返送書類が収納された袋部の下側シート部側に貼り付けて、下側シート部に形成された挿入口を貼り付けたラベルで封止して袋部を封緘する。このラベルで封緘された袋部は返送用封筒として機能し、これを投函することで返送書類を返送先に郵送により送ることができる。
【００１１】
前記構成のデリバリーパックにおいて、ラベル表面の返送先情報記載領域に返送先の情報を記載するにあたり、ラベルが郵便はがきサイズ（１４８ｍｍ×１００ｍｍ）であれば、汎用のインクジェットプリンタなどを利用して返送先の情報を簡単に印刷することができて好ましい。切手を貼らず、料金別納により受取主からの書類の返送を受付ける場合はラベル表面に料金別納表示を印刷しておくことができる。
また、受取主において本発明のデリバリーパックの利用の仕方、つまり配送品に貼られたデリバリーパックから袋部を分離し、分離した袋部を書類の返送用封筒として使用できることが判るように、デリバリーパックの上側シート部の表面には、当該デリバリーパックの利用案内情報が印刷されていることが好ましい。
また、ラベル裏面の粘着剤を覆う剥離紙の表面に、デリバリーパックに返送書類が入れられていることを案内する情報や、ラベルが袋部を封止する手段として使用される前記デリバリーパックの利用案内情報が印刷されていてもよい。
【００１２】
前記構成のデリバリーパックにおいて、上側シート部と下側シート部は合成樹脂シートからなり、例えばポリエチレンなどの熱融着性樹脂シートを用いることができる。上側シート部と下側シート部の周辺部の接着部と、袋部の周囲を縁取る両シート部の内面同士の接着部は、ヒートシールにより両シートの重なり部を熱融着した部分である。ヒートシールに代えて、シートの重合面に適宜な接着剤を塗布して接着してもよい。また、下側シート部の下面に設ける粘着剤層としては、天然ゴム系粘着剤、合成ゴム系粘着剤などを用いることができる。
袋部に書類を挿入するために下側シート部に設ける挿入口は、例えば方形状の袋部の上下両辺又は左右両辺に亘りスリットを設けて形成することができる。また、デリバリーパックに設ける破断線は、デリバリーパックの厚み方向に貫通する、つまり上側シート部の上面から下側シート部の下面に至る深さの貫通溝をミシン目状に連続させることにより形成することができる。デリバリーパックから袋部の周辺を分断して、袋部のみを分離可能であれば、ハーフカットやハーフミシンなどの切れ目であってもよい。挿入口上で下側シート部の一側の端部と他側端部（例えば下側シート部の左半面側の端部と右半面側の端部）が適宜な幅で重なるように設けてよい。挿入口は、袋部に書類を挿入することができ、且つ挿入した書類が抜け落ち難ければ他の適宜な形態に設けることができる。
【００１３】
また、前記構成のラベルは、例えばインクジェットプリンタに対応した紙を基材として用いることができる。ラベルの裏面に設ける粘着剤層は、アクリル系粘着剤や天然ゴム系粘着剤、合成ゴム系粘着剤などを用いることができ、これを被覆保護する剥離紙は通常使用されている剥離紙を用いることができる。剥離紙の表面に前記案内情報を印刷する場合は、印字・印刷適正がある紙ベースの剥離紙を用いることが好ましい。ラベルは、その表面全体を返送先情報記載領域とする場合、前記の通り郵便はがきサイズとすることが好ましい。
【発明の効果】
【００１４】
本発明のデリバリーパックによれば、その内部に所定の書類を添付して配送品の外面に貼り付けられ、配送品とともに受取主に配送された後、これを受取主が発送する書類の返送用封筒として利用することができるので、デリバリーパックへの返送用封筒の添付が不要となって配送コストの低減を図ることができ、受取主側で返送用封筒を用意する手間も不要となって、書類配送手続においてエコロジーに資することができる。
【図面の簡単な説明】
【００１５】
【図１】本発明のデリバリーパックの一実施形態の上面（表面）図である。
【図２】図１のデリバリーパックの剥離紙を剥がした状態の下面（裏面）図である。
【図３】図１中のＩＩＩ−ＩＩＩ線に沿った切断拡大端面図である。
【図４】図１のデリバリーパックの上側シートに所定の情報が印刷された状態の外観図である。
【図５】本発明のデリバリーパックを構成するラベルの一実施形態の表面側（Ａ）と裏面側（Ｂ）の外観図である。
【図６】図５のラベルの拡大縦断面図である。
【図７】図１のデリバリーパックの袋部を返送用封筒として利用する態様を説明するための図である。
【図８】（Ａ）、（Ｂ）及び（Ｃ）はそれぞれ本発明の他の実施形態のデリバリーパックの剥離紙を剥がした状態の下面図である。
【図９】従来のデリバリーパックを配送品に貼り付けた状態の外観図である。
【発明を実施するための形態】
【００１６】
本発明の好適な実施形態を、図面を参照して説明する。
図１〜図４は本発明のデリバリーパックの一実施形態を示しており、このデリバリーパック１は、上下に重ね合わせた合成樹脂シートを横長矩形状に裁断し、且つ互いの周辺部をヒートシールにより接着することにより袋状に形成してある。
【００１７】
詳しくは、デリバリーパック１は、上下に重ねた上側シート部１１と下側シート部１２の周辺部を接着部１３で一体に接着して、縦横が１７６ｍｍ×２４４ｍｍ程度の寸法に設けられ、その重合面内の中央部に、上側シート部１１と下側シート部１２の内面同士を上下長手辺間に亘って接着した接着部１３により周囲が方形に縁取られた袋部１Ａを設けてある。袋部１Ａは、その縦横が１７６ｍｍ×１１５ｍｍ程度の寸法に設けられ、その内部に後述するラベル２を収納できるように形成してある。
また、下側シート部１２の袋部形成領域１２ａ内には、袋部１Ａに書類を挿入するためのスリットからなる挿入口１４が形成され、袋部１Ａの両側であって下側シート部１２の袋部形成領域外１２ｂ、１２ｂの下面には、粘着剤層１５、１５が設けられ、その表面を剥離紙１６で被覆保護してある。
さらに、袋部１Ａと粘着剤層１５、１５の境界には、上側シート部１１の上面から下側シート部１２の下面に至る深さの貫通溝を、デリバリーパック１の上下長手辺間に亘りミシン目状に連続させてなる破断線１７、１７を設けてある。
【００１８】
また、図４に示されるように、デリバリーパック１の上側シート部１１の表面には、デリバリーパック１から袋部１Ａを分離し、分離した袋部１Ａを書類の返送用封筒として使用できることが判るように利用案内情報１８が印刷してある。
同図に示した利用案内情報１８は、前記破断線１７、１７の形成位置に沿った切取り操作情報１８ａ、１８ａと、袋部１Ａ内に配置した返送用封筒利用情報１８ｂと、後述するラベル２の貼り付け位置特定情報１８ｃとからなっている。ラベル２の貼り付け位置特定情報１８ｃの文字を反転させてあるのは、透明な合成樹脂シートを用いてデリバリーパック１を構成した場合に、デリバリーパック１から分離した袋部１Ａの裏面側、つまり下側シート部１２の下面側から当該情報を判読できるようにしたものである。
【００１９】
図５及び図６は、前記構成のデリバリーパック１が具備するラベルの一実施形態を示しており、このラベル２は、紙製の基材２１の裏面に粘着剤層２２を設け、この粘着剤層２２を剥離紙２３で被覆保護して形成してある。
詳しくは、ラベル２は郵便はがきサイズに形成され、その基材２１の表面側には返送先情報記載領域が設けてあり、また、剥離紙２３の下部にはその左右両側辺に亘ってスリット２３ａが形成され、当該スリット２３ａを起点として剥離紙２３を容易に剥がすことができるように構成してある。また、図５（Ｂ）に示されるように、剥離紙２３の表面にはデリバリーパック１の利用案内情報である「書類在中」の表示が印刷してある。
【００２０】
上記構成のデリバリーパック１とラベル２は、以下のようにして書類の往復送付処理に使用することができる。
先ず、送り主が荷物を配送するにあたり、予め送り主はラベル２の表面の返送先情報記載領域に返送書類の返送先の住所、部署、郵便番号などの返送先情報をプリンタで印字するなどして記載し、返送用の切手も貼っておく。
このラベル２と、荷物とともに受取主に送る伝票類や返送書類を、デリバリーパック１の袋部１Ａにその挿入口から挿入して収納する。
この際、ラベル２は、「書類在中」の表示がされた剥離紙２３側がデリバリーパック１の上側シート部１１に面するように向けて収納し、返送書類を含む他の書類は、ラベル２と下側シート部１２の間に挿入して収納する。
次いで、デリバリーパック１の剥離紙１６を剥がして粘着剤層１５を露出させ、これを受取主に送る配送品に貼り付けて、配送品を配送に供する。デリバリーパック１を配送品に貼り付けた状態で、デリバリーパック１の下側シート部１２の下面は配送品の表面に面一に重なって挿入口１４が閉じ合わさり、配送中に袋部１Ａに収納された書類が挿入口から抜け落ちることはない。
送り主が発送した配送品を受取主が受領したならば、受取主は配送品に貼り付けられたデリバリーパック１を、その破断線１７、１７に沿って分断して袋部１Ａを分離し、配送品から取り外す。袋部１Ａを取り外した後、収納されていた書類及びラベル２を挿入口１４から取り出し、返送書類を確認したならば、それに必要事項を記入し或いは署名、捺印するなどした後、これを前記袋部１Ａに収納する。
次いで、前記取り出したラベル２を、その裏面の剥離紙２３を剥がして粘着剤層２２を露出させ、返送書類が収納された袋部１Ａの下側シート部１２側に貼り付けて、下側シート部１２に形成された挿入口１４をラベル２で封止して袋部１Ａを封緘する。
そして、図７に示されるように、ラベル２で封緘された袋部１Ａは返送用封筒として機能し、これを投函することで返送書類を返送先に郵送により送ることができる。
【００２１】
図８はデリバリーパック１の他の形態を示しており、同図（Ａ）は前記形態のデリバリーパック１とは挿入口１４の向きを異ならせた形態のもの、同図（Ｂ）はデリバリーパック１を縦長矩形状に形成し、その上側シート部１１と下側シート部１２の重合面内中央に袋部１Ａを配置し、袋部１Ａの上下に粘着剤層１５、１５を配置した形態のもの、同図（Ｃ）は袋部１Ａの周辺に粘着剤層１５を配置した形態のものである。
【００２２】
なお、図示したデリバリーパック１とラベル２は本発明の実施形態の一例を示すものであり、本発明はこれに限定されず、配送品に添付する書類や返送書類の種類や大きさ、形態などに応じて他の適宜な形態で構成することが可能である。
【符号の説明】
【００２３】
１  デリバリーパック、１１  上側シート部、１２  下側シート部、１３  接着部、１４  挿入口、１５  粘着剤層、１６  剥離紙、１７  破断線、１８  利用案内情報、２  ラベル、２１  基材、２２  粘着剤層、２３  剥離紙
【図１】
2013180819.tif 000003
【図２】
2013180819.tif 000004
【図３】
2013180819.tif 000005
【図４】
2013180819.tif 000006
【図５】
2013180819.tif 000007
【図６】
2013180819.tif 000008
【図７】
2013180819.tif 000009
【図８】
2013180819.tif 000010
【図９】
2013180819.tif 000011